(57)【特許請求の範囲】
【請求項１】
前胴周り域と後胴周り域と股下域とを有する着用物品の前記股下域には前記前後胴周り域方向へ長く延びる体液吸収部が形成されており、前記体液吸収部が、内面と外面と前記前後胴周り域方向へほぼ平行して長く延びる両側縁部分とを有していて全体がほぼ矩形に形成されていて前記前胴周り域と後胴周り域とに位置する部分の内面どうしを対向させてＵ字状に折曲されており、前記股下域における前記体液吸収部が、前記股下域の幅方向に延びる横断線の中点および前記中点から両側へ等距離にある前記横断線上の二点のいずれかから前記横断線に対して交角αを成して前記前胴周り域寄りにおける前記体液吸収部の前記両側縁部分それぞれに向かって延びる一対の第１折曲線と、前記横断線に対して交角βを成して前記後胴周り域寄りにおける前記体液吸収部の前記両側縁部分それぞれに向かって延びる一対の第２折曲線とを有し、前記股下域における前記体液吸収部はさらに、前記両側縁部分のそれぞれにおける前記第１折曲線と前記第２折曲線との間に位置する部位が前記体液吸収部の内側へ向かうようにこれら第１、第２折曲線に沿って折曲されて成る折り込み部を有している使い捨てのパンツ型着用物品であって、
前記体液吸収部は、体液吸収性材料を吸水拡散性シートで覆うことにより形成される芯材と、前記芯材を被覆するとともに前記体液吸収部の少なくとも前記内面を形成する体液透過性の被覆シートとを有し、前記芯材が前記股下域の幅が狭くて前記前後胴周り域の幅が広くなるように砂時計型に形成されていて前記股下域の両側に凹欠部を有し、前記被覆シートが前記前後胴周り域と股下域とにおいてほぼ一様な幅を有していて、前記股下域では前記芯材の側縁から前記凹欠部に延出しており、前記凹欠部に位置する前記被覆シートおよび前記吸水拡散性シートのいずれかには、前記前後方向へ延びて前記第１、第２折曲線と交差する股部弾性部材が伸長状態および非伸長状態のいずれかの態様で取り付けられていることを特徴とする前記パンツ型着用物品。
【請求項２】
前記体液吸収部は、前記両側縁部それぞれにシート部材から成る防漏カフを有し、前記シート部材が前記側縁部分を覆うように前記体液吸収部の幅方向において前記内面の反対面である外面から前記内面へ向かって折曲されていて、前記外面の側に位置する外側縁部分が前記外面に接合されるとともに前記前後胴周り域に位置する前後端縁部が前記外面と内面とに接合されており、前記芯材の凹欠部では、前記外面において前記シート部材が前記被覆シートに接合し、前記股部弾性部材が前記シート部材に接合することによって前記被覆シートに間接的に接合している請求項１記載のパンツ型着用物品。
【請求項３】
前記交角αとβとが１０〜６０度の範囲にある請求項１または２に記載のパンツ型着用物品。
【請求項４】
前記パンツ型着用物品には一対の脚周り開口が形成されており、前記開口それぞれの周縁部における上側半分に取り付けられている脚周り弾性部材と前記股部弾性部材とがそれぞれの部材の端部どうしで交差している請求項１〜３のいずれかに記載のパンツ型着用物品。
【発明の詳細な説明】
【０００１】
【発明の属する技術分野】
この発明は、使い捨ておむつやトレーニングパンツ、失禁患者用パンツ等として使用するのに好適な使い捨てのパンツ型着用物品に関する。
【０００２】
【従来の技術】
使い捨ておむつ等の使い捨て着用物品において、矩形の体液吸収性パネルが使用され、そのパネルの股下域両側部それぞれにパネルの内側へ向かっての折り込み部が形成されているものは公知である。
【０００３】
たとえば、実開昭４７−３６７３４号公報（特許文献１）に記載のおむつは、矩形を成すパネル状のおむつ本体片が股下域に折り込み部を有し、その折り込み部は本体片の長さ方向を二等分する中心線に関して対称となるように、換言するとおむつの前後方向で対称となるように形成されている。
【０００４】
特開昭５０−３３０４４号公報（特許文献２）に記載のおむつも折り込み部を有し、その折り込み部は矩形を成す体液吸収性のパネル状材料を中央横断線と、中央横断線の中点から放射状に延びる線とに沿って折曲することにより形成され、折り込み部において向かい合うおむつの内面どうしが部分的に固定されている。
【０００５】
特開２００３−１０２４４号公報（特許文献３）に記載のパンツ型の着用物品は、使い捨てのパンツ型おむつ等として使用されるものであって、矩形を呈する体液吸収性パネルがＵ字状に曲げられて股下域を中心に前後胴周り域にまで延びている。このパネルは股下域に折り込み部を有し、その折り込み部は、パンツ型の着用物品の最下端部におけるパネル横断線と、その横断線の中点からパネルの両側縁部にまで延びる放射状の線とにおいてパネルを折曲することにより形成されている。
【０００６】
特許文献１，２，３いずれの着用物品においても、パネルの股下域に形成された折り込み部はパネルの幅を部分的に狭くするように作用すると同時に、排泄物を保持するポケットとして機能する。
【０００７】
【特許文献１】
実開昭４７−３６７３４号公報
【特許文献２】
特開昭５０−３３０４４号公報
【特許文献３】
特開２００３−１０２４４号公報
【０００８】
【発明が解決しようとする課題】
特許文献１，２，３に記載のおむつは、折り込み部を有することによって、股下域が嵩張らず着用感のよいものになるという特性を有する。また、特許文献３に記載のおむつは、おむつを着用しようとするときに体液吸収性パネルが脚周り開口を部分的にせよ塞ぐことがないので脚の挿入が容易になるという特性をも有する。しかし、これらおむつの折り込み部が形成するポケットは、股下域でのパネルの嵩張りを小さくしようとするほど、また脚周り開口を塞ぐことがないようにするほど、開口の広がりが小さくなって、軟便のような流動性の乏しい排泄物は流入が難しくなり、ポケットから漏れ易くなる。
【０００９】
この発明では、股下域に折り込み部を有する使い捨てのパンツ型着用物品において、その折り込み部の特性を生かしながら、折り込み部が形成するポケットへの排泄物の流入を容易にすることが課題である。
【００１０】
【課題を解決するための手段】
前記課題解決のために、この発明が対象とするのは、前胴周り域と後胴周り域と股下域とを有する着用物品の前記股下域には前記前後胴周り域方向へ長く延びる体液吸収部が形成されており、前記体液吸収部が、内面と外面と前記前後胴周り域方向へほぼ平行して長く延びる両側縁部分とを有していて全体がほぼ矩形に形成されて前記前胴周り域と後胴周り域とに位置する部分の内面どうしを対向させてＵ字状に折曲されており、前記股下域における前記体液吸収部が、前記股下域の幅方向に延びる横断線の中点および前記中点から両側へ等距離にある前記横断線上の二点のいずれかから前記横断線に対して交角αを成して前記前胴周り域寄りにおける前記体液吸収部の前記両側縁部分それぞれに向かって延びる一対の第１折曲線と、前記横断線に対して交角βを成して前記後胴周り域寄りにおける前記体液吸収部の前記両側縁部分それぞれに向かって延びる一対の第２折曲線とを有し、前記股下域における前記体液吸収部はさらに、前記両側縁部分のそれぞれにおける前記第１折曲線と前記第２折曲線との間に位置する部位が前記体液吸収部の内側へ向かうようにこれら第１、第２折曲線に沿って折曲されて成る折り込み部を有している使い捨てのパンツ型着用物品である。
【００１１】
かかるパンツ型着用物品において、この発明が特徴とするところは次のとおりである。前記体液吸収部は、体液吸収性材料を吸水拡散性シートで覆うことにより形成される芯材と、前記芯材を被覆するとともに前記体液吸収部の少なくとも前記内面を形成する体液透過性の被覆シートとを有する。前記芯材は、前記股下域の幅が狭くて前記前後胴周り域の幅が広くなるように、砂時計型に形成されていて前記股下域の両側に凹欠部を有する。前記被覆シートは、前記前後胴周り域と股下域とにおいてほぼ一様な幅を有していて、前記股下域では前記芯材の側縁から前記凹欠部に延出している。前記凹欠部に位置する前記被覆シートおよび前記吸水拡散性シートのいずれかには、前記前後方向へ延びて前記第１、第２折曲線と交差する股部弾性部材が伸長状態および非伸長状態のいずれかの態様で取り付けられている。
【００１２】
この発明には、次のような実施態様がある。
（１）前記体液吸収部は、前記両側縁部分それぞれにシート部材から成る防漏カフを有し、前記シート部材が前記側縁部分を覆うように前記体液吸収部の幅方向において前記内面の反対面である外面から前記内面へ向かって折曲されていて、前記外面の側に位置する外側縁部分が前記外面に接合されるとともに前記前後胴周り域に位置する端縁部分が前記外面と内面とに接合されており、前記芯材の凹欠部では、前記外面において前記シート部材が前記被覆シートに接合し、前記股部弾性部材が前記シート部材に接合することによって前記被覆シートに間接的に接合している。
（２）前記交角αとβとが１０〜６０度の範囲にある。
（３）前記パンツ型着用物品には一対の脚周り開口が形成されており、前記開口それぞれの周縁部における上側半分に取り付けられている脚周り弾性部材と前記股部弾性部材とがそれぞれの部材の端部どうしで交差している。
【００１３】
【発明の実施の形態】
この発明に係る使い捨てのパンツ型着用物品としてパンツ型おむつを例にとり、添付の図面を参照してこの発明の詳細を説明すると、以下のとおりである。
【００１４】
図１，２，３は、使い捨てのパンツ型おむつ１の斜視図と、図１のおむつ１を部分的に破断して示す図と、図１のＩＩＩ−ＩＩＩ線切断面を示す図である。ＩＩＩ−ＩＩＩ線切断面は、図１におけるおむつ１を前後に二分するおむつ１の最下端部５１よりも前胴周り域６の側に寄っている（図４参照）。おむつ１は、互いに直交する高さ方向と、幅方向と、前後方向とを有するもので、高さ方向は図１の上下方向であり、前後方向は図１の矢印Ｐ，Ｑで示される方向であり、幅方向は図１のＩＩＩ−ＩＩＩ線に沿う方向、すなわち図３の左右方向である。かかるおむつ１は、パンツ型を呈する被覆部２と、体液を吸収保持するための体液吸収部３とからなる。被覆部２は、おむつ着用者の肌と向かい合う内面２ａと、着衣と向かい合う外面２ｂとを有し、その着用者の前後胴周り部と股部とを覆う前胴周り域６と後胴周り域７と股下域８とからなる。前後胴周り域６，７は、おむつ１の両側部で合掌状に重なり合い、図の上下方向へ間欠的に並ぶ部位４で互いに接合され、これら両域６，７によって胴周り開口９が画成され、これら両域６，７と股下域８とによって一対の脚周り開口１１が画成されている。胴周り開口９と脚周り開口１１の縁部それぞれには、複数条の弾性部材１２，１３が伸長状態で取り付けられている。体液吸収部３は、被覆部２の内面２ａの側に位置し、内面どうしが対向してほぼＵ字状を呈するように股下域８を中心に前胴周り域６と後胴周り域７とに向かって長く延びている。吸収部３はまた、おむつ１の最下端部５１の近傍に折り込み部５０を有し、その折り込み部５０では、おむつ１の幅を二等分して縦方向（図の上下方向）へ延びる縦中心線Ａ−Ａ（図４を併せて参照）に向かって、すなわちおむつ１の幅方向内方ヘ向かって体液吸収部３の両側それぞれが折曲されている。
【００１５】
図４は、図１のおむつ１を接合部位４において剥離し、前後胴周り域６，７をおむつ１の前方向と後方向へ延びる矢印Ｐ，Ｑの方向へ伸展したものの部分破断平面図である。伸展した状態のおむつ１には、縦中心線Ａ−Ａに対してその中点Ｍで直交し、図の上下方向の長さを二等分しておむつ１の幅方向へ延びる横断線Ｂ−Ｂと、横断線Ｂ−Ｂよりも前胴周り域６寄りにあって図３の切断面の位置を示すＩＩＩ−ＩＩＩ線とが示されている。図４のおむつ１は、縦中心線Ａ−Ａに関してほぼ対称であり、横断線Ｂ−Ｂに沿って内側へ折曲されると図１のおむつ１となり、そのおむつ１では横断線Ｂ−Ｂがおむつ１の最下端部５１に位置する（図３参照）。縦中心線Ａ−Ａの中点Ｍは、横断線Ｂ−Ｂの中点でもある。図４において股下域８の範囲を規定している上下一対の線Ｃ１−Ｃ１とＣ２−Ｃ２とは、図３のおむつ１では重なって１本となり、脚周り開口１１の頂縁部を通り横断線Ｂ−Ｂに平行している線Ｃ−Ｃとなる。
【００１６】
被覆部２は、図４に示されるように、通気性不織布、より好ましくは疎水性の通気性不織布からなる砂時計型の内部シート１６と、不透液性プラスチックフィルム、より好ましくは通気不透液性プラスチックフィルムからなり、吸収部３の平面形状とほぼ同じ大きさの矩形であるかまたはその平面形状よりも大きく、内部シート１６の外面側に位置する中間部シート１７と、通気性不織布からなり内部シート１６と同形同大で中間部シート１７の外面側に位置する外部シート１８とが積層され、これらシート１６，１７，１８が接着または溶着により互いに間欠的に接合することで形成されている。被覆部２は、内部シート１６と外部シート１８とが不織布であることによって、柔軟な肌触りを有する。内部シート１６と外部シート１８との間に位置する胴周りと脚周りの弾性部材１２，１３は、これらシート１６，１８の少なくとも一方に接着剤（図示せず）を介して接合している。
【００１７】
吸収部３は、体液吸収性の芯材２１と体液透過性の被覆シート２２とからなり、被覆シート２２によって形成されている外形は縦に長いほぼ矩形を呈し、縦中心線Ａ−Ａにほぼ平行して股下域８を中心に前後胴周り域６，７方向へ延びる一対の側縁部分２６と、横断線Ｂ−Ｂにほぼ平行しておむつ１の幅方向へ延びる前後一対の端縁部分２７，２８とを有する（図２を併せて参照）。吸収部３の股下域８と被覆部２の股下域８とは、図４の一対の平行線Ｃ１−Ｃ１とＣ２−Ｃ２との間に位置する部分を意味し、図３では横断線Ｂ−Ｂと線Ｃ−Ｃとの間に位置する部分を意味している。
【００１８】
芯材２１は、その形状が砂時計型であって、股下域８に凹欠部８ｂが形成されて幅が狭くなり、前後胴周り域６，７で幅が広くなるように作られている。股下域８における芯材２１の幅はＷ１であり、前後胴周り域６，７における芯材２１の幅はＷ２，Ｗ３であって、図示例では、幅Ｗ２と幅Ｗ３とがほぼ等しくなるように芯材２１が作られている。したがって、幅Ｗ２と幅Ｗ１との差の半分が芯材２１の幅方向における凹欠部８ｂの寸法である。芯材２１は、おむつ着用者の肌側に位置する内面２３と、着衣側に位置する外面２４と、内外面２３，２４をつないで縦方向へ延びる両側面部分４０ａと、前後胴周り域６，７において幅方向へ延びる両端面部分４０ｂとを有する。芯材２１はまた、縦中心線Ａ−Ａ上の中点Ｍから前胴周り域６寄りの両側縁部分２６のそれぞれにまでほぼＶ字形を画いて延びる一対の第１折曲案内線Ｓと、中点Ｍから後胴周り域７寄りの両側縁部分２６それぞれにまでほぼＶ字形を画いて延びる一対の第２折曲案内線Ｔと、中点Ｍから第１折曲案内線Ｓと第２折曲案内線Ｔとの間において前胴周り域６寄りの両側縁部分２６にまでほぼＶ字形を画いて延びる一対の第３折曲案内線Ｕとに沿って折曲されるもので、その折曲を容易にするために各折曲案内線Ｓ，Ｔ，Ｕに沿う第１、第２、第３折曲案内溝２０ｓ，２０ｔ，２０ｕを有し、これら案内溝２０ｓ，２０ｔ，２０ｕによって芯材２１が芯材要素２１ａ，２１ｂ，２１ｃ，２１ｄ，２１ｅ，２１ｆに分けられている。横断線Ｂ−Ｂと第１折曲案内線Ｓとの交角はαであり、横断線Ｂ−Ｂと第２折曲案内線Ｔとの交角はβ１であり、横断線Ｂ−Ｂと第３折曲案内線Ｕとの交角はβ２である。好ましい交角αは１０〜６０度の範囲にあり、好ましい交角β１もまた１０〜６０度の範囲にある。交角β２は、図４に関連して後記するように、側縁部分２６のうちで第１、第２案内溝２０ｓと２０ｔとの間に位置する部位を図２，３の如く吸収部３の内側へ向くように第１、第２案内溝２０ｓと２０ｔとに沿って折曲したときに自動的に決まる角度である。
【００１９】
吸収部３において、各芯材要素２１ａ〜２１ｆは、粉砕パルプや高吸水性ポリマー粒子等の吸水性材料を適宜の力で圧縮することにより、また必要ならば圧縮したものをティシューペーパや親水化処理された熱可塑性合成繊維からなる不織布等の吸水拡散性シートで覆うことにより形成される。各芯材要素２１ａ〜２１ｆの内面２３またはその内面２３を覆うティシューペーパ（図示せず）等は、被覆シート２２に接着しておくことができる。また、芯材要素２１ａ〜２１ｆの外面２４、またはその外面２４を覆うティシューペーパ等は、内部シート１６等に接着剤２９ａによって接着しておくことができる。被覆シート２２は、吸収部３の幅方向において、芯材２１の内面２３と側面部分４０ａとを覆い、外面２４にまで延びている。外面２４の下方では、被覆シート２２の両側縁部位２２ａが芯材２１の幅方向外方へ向かって折り返され、部位２２ａそれぞれが内部シート１６の内面にホットメルト接着剤２９を介して接着している。被覆シート２２はまた、芯材２１の端面部分４０ｂを越えて延びる部分がホットメルト接着剤（図示せず）を介してそれと重なり合うシート２２と内部シート１６とに接合している。かような被覆シート２２は、芯材２１の側面部分４０ａの近傍において、Ｚ字型または逆Ｚ字型に折り畳まれた状態にある（図３参照）。被覆シート２２には、透液性の不織布や開孔プラスチックフィルム、これら不織布とフィルムとからなる透液性の積層シート等が使用される。
【００２０】
図３、４の吸収部３において、吸収部３の凹欠部８ｂに位置している被覆シート２２またはテイシュペーパ(図示せず)の外面には、股部弾性部材７０がホットメルト接着剤（図示せず）を介して伸長状態または非伸長状態で取り付けられている。かかる股部弾性部材７０は、図４に太い鎖線でその存在の範囲が示されているように、中心線Ａ−Ａの両側それぞれにおいて、横断線Ｂ−Ｂに直交し、第１、第２、第３折曲案内線Ｓ，Ｔ，Ｕと交差して股下域部分８ａを前後方向へ直線状に延びている。股部弾性部材７０は、おむつ１の両側それぞれにおいて、一条または複数条使用される。
【００２１】
吸収部３がこのように形成されている図４の状態のおむつ１は、吸収部３を内側にして横断線Ｂ−Ｂに沿って折り重ね、前後胴周り域６，７を部位４で一体となるように接合して図１のおむつ１とするときに、縦中心線Ａ−Ａによって左右に二等分される吸収部３の両側それぞれにおける股下域８が、図２，３に示されているように縦中心線Ａ−Ａに向かうように吸収部３の内側へ折曲される。より具体的にいえば、吸収部３は、両側それぞれにおいて芯材要素２１ｃと２１ｅの外面２４（図４参照）どうしが向かい合い、芯材要素２１ｄと２１ｆの外面２４どうしが向かい合うように内側へ折り込まれ、それと同時に、芯材要素２１ａの内面２３と芯材要素２１ｃ，２１ｄの内面２３とが向かい合い、芯材要素２１ｂの内面２３と芯材要素２１ｅ，２１ｆの内面２３とが向かい合うように、第１，第２折曲案内溝２０ｓと２０ｔとに沿って折曲される。かくして吸収部３には両側それぞれに折り込み部５０が形成される。Ｕ字状を呈し、さらに第１、第２折曲案内溝２０ｓ，２０ｔに沿って折曲されている矩形の吸収部３は、吸収部３の内面どうしが重なり合う程度にまで平らに折り重ねられると、既に折り込まれている芯材要素２１ｃと２１ｅとが重なり合うように、また芯材要素２１ｄと２１ｆとが重なり合うように位置が決められている第３折曲案内溝２０ｕに沿っても折曲される。このように折曲される吸収部３の第１、第２、第３折曲案内線Ｓ，Ｔ，Ｕは芯材２１を含まない図示例の溝２０ｓ，２０ｔ，２０ｕとして形成される場合と、それとは異なり芯材２１に折り癖をつけるだけの場合とがある。いずれの場合にせよ、折り込まれた吸収部３では、凹欠部8ｂよりも縦中心線Ａ−Ａ寄りの部位に折曲線、つまり折り癖が容易につくものの、凹欠部８ｂに位置する被覆シート２２では、折り込まれた股部弾性部材７０が折り込まれる前の状態に弾性的に復帰する傾向にあるので、折り癖がつきにくい。
【００２２】
図２，３に示されているように、おむつ１の吸収部３には折り込み部５０の内側にポケット３０が形成される。ポケット３０では、股部弾性部材７０の弾性的復帰によって、凹欠部８ｂに位置する被覆シート２２に折曲線が殆ど生じないから、ポケット３０がその頂部において大きく広がって、軟便の如く粘性が高く、流動性に乏しい排泄物でもポケット３０に容易に流入する。
【００２３】
この発明に係るおむつ１では、吸収部３が股下域８に折り込み部５０を有することによって、その股下域８の幅が狭くなって着用感がよいものになり、また折り込み部５０が形成するポケット３０は、頂部において開口が大きく開くので、ポケット３０への排泄物の流入が容易になる。
【００２４】
図５は、この発明の実施態様の一例を示す図４と同様な図である。このおむつ１の吸収部３では、横断線Ｂ−Ｂの中点Ｍから左右方向へ等距離にある横断線Ｂ−Ｂ上の二点Ｇ，Ｈのそれぞれから第１折曲案内線Ｓ，Ｔ，Ｕと第１、第２、第３折曲案内溝２０ｓ，２０ｔ，２０ｕが側縁部分２６に向かって延びている。吸収部３は、第１、第２、第３折曲案内溝２０ｓ，２０ｔ，２０ｕにおいて図４のおむつ１と同様に折曲されて折り込み部５０を形成する。このおむつ１においても、股部弾性部材７０が芯材２１の凹欠部８ｂにおいて被覆シート２２の外面に伸長状態、または非伸長状態で取り付けられている。
【００２５】
この発明は、図1〜５に例示のおむつ1の他に、被覆部２における股下域８の幅を図４に示された状態の吸収部３の幅と同じであるかまたは吸収部３の幅よりも小さくして実施することができる。この場合の吸収部３は、芯材２１の外面２４を不透液性シートで覆い、その不透液性シートを被覆部２に対して接合することができる。その接合では、吸収部３を被覆部２における前胴周り域６と後胴周り域７とに接合して股下域８には接合しないでおくことができる。そのように接合するときのおむつ１では、被覆部２を股下域８が切除されて前胴周り域６と後胴周り域７とのみを有するものに代えることができる。おむつ１を例にとって説明したこの発明は、トレーニングパンツ、失禁患者用パンツ、生理用パンツ等の着用物品において実施することができる。
【００２６】
図６，７は、実施態様の他の一例を示すおむつ１の斜視図と、そのおむつ１の部分破断斜視図である。おむつ１は、図１のパンツ型おむつ１と同様にパンツ型を呈する被覆部２と、体液吸収部３とからなり、被覆部２の胴周り開口９の周縁部には複数条の胴周り弾性部材１２が伸長状態で取り付けられている。脚周り開口１１では、前後胴周り域６，７を形成していて開口１１の上側約半分の周縁部を画成している前部シート１０６と後部シート１０７とにほぼ半円形を画くように複数条の脚周り弾性部材１３が伸長状態で取り付けられている。吸収部３は、被覆部２の内面２ａの側にあって、股下域８を中心に前胴周り域６と後胴周り域７とに向かって長く延びており、股下域８では幅が狭くなるように、おむつ１の幅を二等分する縦中心線Ａ−Ａに向かって、すなわちおむつ１の横方向内側ヘ向かって折曲されている。
【００２７】
図８，９は、図６のおむつ１を前後胴周り域６、７の接合部位４において剥離し、前後胴周り域６，７を図６の矢印Ｐ，Ｑ方向へ伸展したものの部分破断平面図と、図８の状態にあるおむつ１の分解斜視図である。伸展した状態のおむつ１には、縦中心線Ａ−Ａに直交し、図の上下方向へ延びる長さを二等分する横中心線Ｂ−Ｂも示されている。
【００２８】
被覆部２は、前胴周り域６と股下域８の一部分とを形成する六角形の前部シート１０６と、後胴周り域７と股下域８の一部分とを形成する六角形の後部シート１０７と、股下域８の一部分を形成する矩形のセンターシート１０８とを有する。前後部シート１０６，１０７の内面には、胴周り弾性部材１２と脚周り弾性部材１３とが取り付けられている。センターシート１０８は、その前後両端部が前後部シート１０６，１０７の内面（図９における上面）にホットメルト接着剤（図示せず）を介して接合されて前後部シート１０６，１０７を連結している。センターシート１０８の内面側には矩形の不透水性プラスチックフィルムからなる中間部シート１１７が重なり、中間部シート１１７の内面側には砂時計型の内部シート１１６が重なっている。中間部シート１１７は、センターシート１０８とほぼ同形であるがセンターシート１０８よりもやや小さく、内部シート１１６は、前後部シート１０６，１０７とセンターシート１０８とが互いに連結して形成する砂時計型の形状とほぼ同形同大である。これらシート１０６，１０７，１０８，１１７および１１６は、互いに重なり合う部分において間欠的に接合している。内部シート１１６の内面には、センターシート１０８が長く延びる方向に長さ方向を有する矩形の体液吸収部３が接合している。吸収部３は、内部シート１１６に塗布されたホットメルト接着剤２９によって、外面２４のほぼ全体が間欠的に内部シート１１６に接合している。
【００２９】
吸収部３は、図８において縦に長い矩形を呈し、縦中心線Ａ−Ａに並行する一対の側縁部分２６と、側縁部分２６と直交しておむつ１の横方向（幅方向）へ延びる前後端縁部分２７，２８とを有し、側縁部分２６のそれぞれに沿って防漏カフ２５が形成されている。かかる吸収部３は、体液吸収性の芯材２１と体液透過性の被覆シート２２とからなり、芯材２１が股下域８で幅が狭く、前後胴周り域６、７で幅が広くなるように砂時計形を呈し、股下域８の両側には凹欠部８ｂが形成されている。芯材２１は、縦中心線Ａ−Ａと横中心線Ｂ−Ｂとが交わる芯材２１の中点Ｍから前胴周り方向へほぼＶ字形を画いて両側縁部分２６にまで延びる一対の第１折曲案内線Ｓと、中点Ｍから後胴周り方向へほぼＶ字形を画いて両側縁部分２６にまで延びる一対の第２折曲案内線Ｔと、横中心線Ｂ−Ｂと一致する第３折曲案内線Ｕとに沿って被覆シート２２とともに折曲されるもので、これら折曲案内線Ｓ，Ｔ，Ｕによって芯材要素２１ａ，２１ｂ，２１ｃ，２１ｄ，２１ｅ，２１ｆに分けられている。被覆シート２２は、芯材２１を包むようにその内面と外面とを被覆して外面の幅方向中央で重なり合っている。かかる被覆シート２２は、股下域８において芯材２１の凹欠部８ｂの縁部から側方へ延出し、その延出する部分では被覆シート２２どうしが重なり合い、好ましくはホットメルト接着剤(図示せず)を介して互いに接合している。
【００３０】
図１０，１１，１２，１３は、吸収部３の部分破断斜視図と、図１０のＸＩ−ＸＩ線、ＸＩＩ−ＸＩＩ線およびＸＩＩＩ−ＸＩＩＩ線それぞれに沿う切断面とを示す図である。防漏カフ２５は、吸収部３の側縁部分２６に沿って延びるシート部材で形成され、そのシート部材には、疎水性、好ましくは疎水性かつ不透液性、より好ましくは疎水性かつ通気不透液性の不織布またはプラスチックフィルムが使用される。防漏カフ２５は、吸収部３の幅方向においてＺ字型または逆Ｚ字型に折曲されており、吸収部３の外面３ｂの側に位置する外側縁部１３１と、内面３ａの側に位置する内側縁部１３２とを有し、外側縁部１３１は、被覆シート２２に接着剤３４を介して固定されている。その外側縁部１３１は、芯材２１の凹欠部８ｂに位置する部位に１条または複数条の股部弾性部材７０がホットメルト接着剤（図示せず）を介して伸長状態または非伸長状態で取り付けられている。この股部弾性部材７０が吸収部３において前後方向へ延びる範囲の一例は図８に太い鎖線の股部弾性部材７０として示されているとおりであって、このような股部弾性部材７０は、図１２，１３の切断面には現われない。図示例の股部弾性部材７０は、図４，５に例示のものと異なり、芯材２１を被覆しているシートに対して直接的に取り付けられるのではなく、防漏カフ２５を形成しているシート部材を介することによって、被覆シート２２に対して間接的に取り付けられているが、図５に例示のものと同じような作用効果を有する。また、図８に示されているように、股部弾性部材７０は、前後部シート１０６，１０７それぞれにおける脚周り弾性部材１３の少なくとも１本と互いの端部どうしで交差し、センターシート１０８や前後部シート１０６，１０７、これらを接合するホットメルト接着剤等を介して間接的に連結された状態にある。したがって、おむつ１が着用されると、脚周り弾性部材１３を伸長させようとする力は、股部弾性部材７０にも及んで、この弾性部材７０を伸長し、芯材２１の凹欠部８ｂにおいて被覆シート２２がいまだに折り込まれている状態にあれば、この被覆シート２２を折り込まれる前の状態に戻し、ポケット３０が股部弾性部材７０の近傍、すなわちポケット３０の頂部が大きく開口するように作用する。防漏カフ２５における内側縁部分１３２は、内面３ａの上方に位置して、図１１の上下方向と左右方向とに変形可能であり、内側縁部１３２の袋状折り返し部には吸収部３の長手方向へ延びる第１弾性部材４１が伸長状態で取り付けられている。防漏カフ２５は、図１３に示されているように、吸収部３の前後端縁部分２７，２８において、防漏カフ２５の外側縁部分１３１と内側縁部分１３２とが接着剤３４を介してＺ字型または逆Ｚ字型に重ねられ、防漏カフ２５どうし、および被覆シート２２と防漏カフ２５とが接着剤３４を介して接合している。第１弾性部材４１は、両端部のそれぞれが防漏カフ２５を介して吸収部３の前後端縁部分２７，２８に固定されている。このような第１弾性部材４１の他に、防漏カフ２５には、その幅方向における外側縁部分１３１と内側縁部分１３２との中間部位であって、吸収部３の内面３ａの上方に第２弾性部材４２を防漏カフ２５の長手方向に伸張して取り付けることが可能である。第２弾性部材４２は、第１弾性部材４１に平行するもので、防漏カフ２５の前後端縁部１３３と１３４との間のうちの少なくとも股下域８に設けられる。図１１，１２に仮想線で示された防漏カフ２５は、おむつ１が着用されるときに第１、第２弾性部材４１，４２が伸長されて、吸収部３の内面３ａから立ち上がった状態を示している。
【００３１】
図９に示される順序で重なり合い互いに接合しているシート１０６，１０７，１０８，１１７，１１６および吸収部３が、中心線Ｂ−Ｂに沿って吸収部３を内側にして折り重ねられ、重なり合う前部シート１０６と後部シート１０７と内部シート１１６の側縁部どうしが図７に示されている部位４で接合されて図６のパンツ型の使い捨ておむつ１となるときに、股下域８における吸収部３が縦中心線Ａ−Ａの両側で図７に示されるように折曲される。すなわち、吸収部３は、芯材要素２１ｃと２１ｅの外面２４どうしが向かい合い、芯材要素２１ｄと２１ｆの外面２４どうしが向かい合うように第３折曲案内線Ｕに沿って折曲され、その折曲と同時に、芯材要素２１ａの内面２３と芯材要素２１ｃ，２１ｄそれぞれの内面２３とが向かい合い、芯材要素２１ｂの内面２３と芯材要素２１ｅ，２１ｆそれぞれの内面２３とが向かい合うように第１折曲案内線Ｓと第２折曲案内線Ｔとに沿って折曲される。吸収部３が折り重ねられるときに、防漏カフ２５はたるんだ状態になるから、おむつ１の内方に容易に折曲されて、折り込み部５０の一部分となる。ただし、着用したおむつ１では、第１、第２弾性部材４１，４２が伸長するので、防漏カフ２５は折り込まれる前の状態に弾性的に復帰する。つまり、防漏カフ２５は、吸収部３の凹欠部８ｂに位置する被覆シート２２と同様に、吸収部３を折り込むときに折り癖がつきにくい部分である。
【００３２】
防漏カフ２５において、図６、７の状態にある第１弾性部材４１は、Ｕ字形を画いておむつ着用者の脚周りをほぼ半周するもので、半周したときにおむつ１の上方へ向かって延びる部分は、前後部シート１０６，１０７の脚周り弾性部材１３と間接的に重なり合っている。これら弾性部材１３と４１との作用によって、おむつ１は着用者の脚周りの全周に密着することが可能になる。図示例の第１弾性部材４１は、複数条のものに代えることが可能である。
【００３３】
このおむつ１を乳幼児に着用させるときには、母親が胴周り開口９の縁部内側に手を入れてその開口９を大きく広げている間に乳幼児の脚を脚周り開口１１に通す。そのようにしたときに、吸収部３の側縁部分２６と防漏カフ２５とは股下域８において折り込まれており、被覆部２に形成された脚周り開口１１をほとんど塞ぐことがないから、このおむつ１は脚を通し易い。吸収部３はまた、それが折り込まれることによってポケット３０を形成するが、折り込まれるときの吸収部３には凹欠部８ｂに前後方向へ延びる股部弾性部材７０が、好ましくはそれが伸長状態で取り付けられているから、その凹欠部８ｂによって形成されるポケット３０の開口部は実質的には折り込まれることがなく、おおきく広がることが可能になって、軟便の流入が容易になる。
【００３４】
この発明の実施例において、股部弾性部材７０は、芯材２１の凹欠部８ｂに位置する被覆シート２２に対して取り付けられているが、その凹欠部８ｂに位置する被覆シート２２以外のシートに対して取り付けられていてもよい。
【００３５】
【発明の効果】
この発明に係る使い捨てのパンツ型着用物品は、体液吸収部の股下域に折り込み部を有し、その折り込み部がポケットを形成しているが、股部弾性部材の作用によって、そのポケットの開口を広げることができるから、このポケットには軟便の如き流動性の乏しい排泄物でも容易に流入する。体液吸収部は、芯材を有する部位において内側に折り込まれていて、股下域における幅が狭くなるから、おむつを着用しているときに股下域は嵩張ることがない。
【図面の簡単な説明】
【図１】  パンツ型おむつの斜視図。
【図２】  図１のおむつを部分的に破断したときの概略図。
【図３】  図１のＩＩＩ−ＩＩＩ線断面図。
【図４】  図１のおむつを伸展して示す図。
【図５】  実施態様の一例を示す図４と同様な図。
【図６】  実施態様の他の一例を示す図１と同様な図。
【図７】  図６のおむつの部分破断斜視図。
【図８】  図６のおむつを伸展して示す図。
【図９】  図８のおむつの分解斜視図。
【図１０】  図９のおむつにおける吸収部の部分破断斜視図。
【図１１】  図１０のＸＩ−ＸＩ線切断面を示す図。
【図１２】  図１０のＸＩＩ−ＸＩＩ線切断面を示す図。
【図１３】  図１０のＸＩＩＩ−ＸＩＩＩ線切断面を示す図。
【符号の説明】
１      パンツ型着用物品（パンツ型おむつ）
２      被覆部
３      体液吸収部
６      前胴周り域
７      後胴周り域
８      股下域
８ｂ      凹欠部
２１      芯材
２２      被覆シート
２５      防漏カフ
２６      側縁部分
４１      第１弾性部材
５０      折り込み部
７０      股部弾性部材
１３１      外側縁部分
１３２      内側縁部分
Ｓ      第１折曲線（案内線）
Ｔ      第２折曲線（案内線）
Ｇ      点
Ｈ      点
Ｍ      中点
Ｂ−Ｂ    横断線
α      交角
β１      交角
【図１】
0003691499.tif 000002
【図２】
0003691499.tif 000003
【図３】
0003691499.tif 000004
【図４】
0003691499.tif 000005
【図５】
0003691499.tif 000006
【図６】
0003691499.tif 000007
【図７】
0003691499.tif 000008
【図８】
0003691499.tif 000009
【図９】
0003691499.tif 000010
【図１０】
0003691499.tif 000011
【図１１】
0003691499.tif 000012
【図１２】
0003691499.tif 000013
【図１３】
0003691499.tif 000014